(57)【要約】【課題】  洗濯物を室内干しする場合に用い、衣類を吊り下げた状態で干して傷むことがなく、騒音もない衣類の乾燥装置を提案する。【解決手段】  天板１、底板２、左右側面部材３、４、裏面部材５、表面部材６からなる筐体が組み立て状態でタンス形状の直方体に形成され、左右側面部材３、４、裏面部材５、表面部材６を枠７に防火・防炎シート材８を貼って形成し、表面部材６のシート材８ａを開閉可能とし、洗濯物を吊り下げるリング１０を周縁に設けたホイール部材１１を、筐体内に洗濯物を吊り下げるのに適した高さ位置に回転可能に支持し、ヒーター１３を筐体内に設け、これらの部材を組み立て式として構成する。【選択図】  図１
0003105605.tif 000002
【実用新案登録請求の範囲】
【請求項１】
天板１、底板２、左右側面部材３、４、裏面部材５、表面部材６からなる筐体が組み立て状態でタンス形状の直方体に形成され、左右側面部材３、４、裏面部材５、表面部材６を枠７に防火・防炎シート材８を貼って形成し、表面部材６のシート材８ａを開閉可能とし、
洗濯物を吊り下げるリング１０を周縁に設けたホイール部材１１を、筐体内に洗濯物を吊り下げるのに適した高さ位置に回転可能に支持し、ヒーター１３を筐体内に設け、
これらの部材を組み立て式として構成した衣類の乾燥装置。
【考案の詳細な説明】
【技術分野】
【０００１】
この考案は、洗濯物を室内干しする場合に用いる家庭用の衣類の乾燥装置に関するものである。
【背景技術】
【０００２】
洗濯した衣類を乾燥させる家庭用の衣類乾燥機としてドラム式乾燥機がある。このドラム式乾燥機は、回転ドラム内に洗濯済みの衣類を投入し、ドラムを回転させながら温風を当てて衣類を乾燥させるもので、一般に、洗濯機上に設置して使われる。
【０００３】
こうしたドラム式乾燥機は、ドラムの回転に伴って衣類が絡みつき、均一に乾燥することができずに生乾きとなるため、最後に屋外で天日干しすることが行われている。また、衣類の絡みつきにより衣類が傷むことや、ドラムの回転による騒音が大きいこと、ドラム内に投入することができる乾燥容量が小さいなどの課題がある。こうしたことから、衣類乾燥機を好まぬ人も多く、これらの人は、従来どおり屋外で天日干ししているが、雨天時には洗濯物を屋内に干す室内干ししている。
【考案の開示】
【考案が解決しようとする課題】
【０００４】
この考案は、洗濯物を室内干しする場合に用いる家庭用の衣類の乾燥装置を提案するもので、衣類を吊り下げた状態で干して傷むことがなく、騒音もない衣類の乾燥装置を提案するものである。
【課題を解決するための手段】
【０００５】
こうした課題を解決するため、この考案の衣類の乾燥装置は、天板１、底板２、左右側面部材３、４、裏面部材５、表面部材６からなる筐体が組み立て状態でタンス形状の直方体に形成され、左右側面部材３、４、裏面部材５、表面部材６を枠７に防火・防炎シート材８を貼って形成し、表面部材６のシート材８ａを開閉可能とする。そして、洗濯物を吊り下げるリング１０を周縁に設けたホイール部材１１を、筐体内に洗濯物を吊り下げるのに適した高さ位置に回転可能に支持し、ヒーター１３を筐体内に設け、これらの部材を組み立て式として構成するものである。
【考案の効果】
【０００６】
この考案の衣類の乾燥装置は、リング１０に洗濯物を吊り下げ、ヒーター１３で筐体内を暖めながらホイール部材１１を回転させ、洗濯物を乾燥させる。したがって、衣類は吊り下げた状態であるので傷むことがなく、ホイール部材１１は低回転速度で十分であるので騒音もなく、快適に使用することができる。
【０００７】
また、この考案の衣類の乾燥装置は組み立て式であるので、分解状態での梱包、運搬等の取り扱いが便利で、倉庫保管のスペースも小さく、家庭で組み立てて使用することができるので、例えば梅雨時のみに組み立てて使用するなどの使い方も可能である。
【考案を実施するための最良の形態】
【０００８】
以下に、この考案の最良の形態について図面の実施例に基づいて説明する。
図１から３は、この考案の衣類の乾燥装置の最初の具体的な実施例で、図に示すように、筐体は、天板１、底板２、左右側面部材３、４、裏面部材５、表面部材６からなり、組み立て状態でタンス形状の直方体に形成される。左右側面部材３、４、裏面部材５、表面部材６は枠７に防火・防炎シート材８を貼って形成され、強度の向上と軽量化が図られ、枠７は、角又は丸パイプ、アングル金具等が用いられる。表面部材６のシート材８ａは、周縁を適当な留め具手段で開閉可能とされている。
【０００９】
天板１の略中央に垂下してモータ９が設けられ、このモータ９に、洗濯物を吊り下げるリング１０を周縁に設けたホイール部材１１が連結される。このようにして、ホイール部材１１は、筐体内に洗濯物を吊り下げるのに適した高さ位置に回転可能に支持され、筐体内には赤外線式のヒーター１３が設けられる。天板１の前面の端面には操作パネル１５が形成され、この操作パネル１５には、運転スイッチやタイマー等のボタンや摘み、運転の状況を表示する液晶表示部等が設けられる。なお、運転をリモコンにより操作するようにしてもよい。
【００１０】
図３は、この衣類の乾燥装置を分解した状態である。図に示すように、この衣類の乾燥装置は各部材が分解した状態で梱包されて販売され、家庭で各部材を組み立ててる。先ず、ホイール部材１１をモータ９の出力軸に取り付け、筐体をビス止めして組み立て、ヒーター１３を筐体内に設置する。
【００１１】
この衣類の乾燥装置の使用方法は、シート材８ａを側縁から開き、洗濯物をハンガーや干し用具を用いてリング１０に吊り下げ、運転スイッチ、タイマースイッチを投入する。ヒーター１３及びモータ９がオンとなり、ヒーター１３で筐体内が暖められ、ホイール部材１１が低速度で回転し、洗濯物が乾燥される。筐体内の湿度を逃がし、外気を導入するための開孔１７が、裏面部材５のシート材８に設けられている。
【００１２】
図４は、この考案の他の実施例である。この衣類の乾燥装置は、筐体内の中段の位置に予備用のホイール１１ａを設けたものである。ホイール１１ａは、台２０に立設した柱２１の先端に軸受けを介して回転自在に取り付けられている。この予備用のホイール１１ａは、洗濯物の量が多い場合に筐体内に設置して使用するもので、ホイール１１とホイール１１ａとで２段で洗濯物を吊り下げ可能としたものである。このホイール１１ａも、台２０、柱２１、ホイール１１ａが組み立て式である。
【００１３】
図５は、この考案のさらに他の実施例である。前例の衣類の乾燥装置の高さが１８０ｃｍ程とすると、本例は高さを１５０〜６０ｃｍ程とし、全体をコンパクトに構成したものである。
【図面の簡単な説明】
【００１４】
【図１】この考案の最初の実施例で、筐体を断面状態とした説明図。
【図２】組み立て状態の斜視図。
【図３】分解状態の説明図。
【図４】この考案の他の実施例で、筐体を断面状態とした説明図。
【図５】この考案のさらに他の実施例で、筐体を断面状態とした説明図。
【符号の説明】
【００１５】
１  天板
２  底板
３、４  側面部材
５  裏面部材
６  表面部材
７  枠
８、８ａ  防火・防炎シート材
９  モータ
１０  リング
１１  ホイール部材
１３  ヒーター
【図１】
0003105605.tif 000003
【図２】
0003105605.tif 000004
【図３】
0003105605.tif 000005
【図４】
0003105605.tif 000006
【図５】
0003105605.tif 000007